(57)【要約】【課題】  条件設定に関するユーザの手間を軽減すること。【解決手段】  被写体像を撮像して画像を生成する撮像部と、画像を記憶する画像記憶部と、撮像部が撮影状態であるか否かを判定する第１の判定部と、画像記憶部に画像が記憶されているか否かを判定する第２の判定部と、第１の判定部により撮影状態であると判定した場合には、撮像部により生成した画像を外部機器へと転送し、第１の判定部により撮影状態でないと判定し、かつ、第２の判定部により画像記憶部に画像が記憶されていると判定した場合には、画像記憶部に記憶された画像を外部機器へと転送する転送部とを備える。【選択図】      図１
2007235512.tif 000002
【特許請求の範囲】
【請求項１】
被写体像を撮像して画像を生成する撮像部と、
画像を記憶する画像記憶部と、
前記撮像部が撮影状態であるか否かを判定する第１の判定部と、
前記画像記憶部に前記画像が記憶されているか否かを判定する第２の判定部と、
前記第１の判定部により撮影状態であると判定した場合には、前記撮像部により生成した前記画像を外部機器へと転送し、前記第１の判定部により撮影状態でないと判定し、かつ、前記第２の判定部により前記画像記憶部に前記画像が記憶されていると判定した場合には、前記画像記憶部に記憶された前記画像を外部機器へと転送する転送部と
を備えたことを特徴とする電子カメラ。
【請求項２】
請求項１に記載の電子カメラにおいて、
前記撮像部を含む第１の筐体と、
表示部を含む第２の筐体と、
前記第１の筐体と前記第２の筐体とを接続するとともに、前記第１の筐体と前記第２の筐体との相対的な角度を変更可能である接続部と、
前記相対的な角度を検出する検出部とをさらに備え、
前記第１の判定部は、前記検出部により検出した前記角度に応じて、撮影状態であるか否かを判定する
ことを特徴とする電子カメラ。
【請求項３】
請求項１に記載の電子カメラにおいて、
前記第１の判定部および前記第２の判定部による判定結果に応じて前記画像の転送を行うか否かを選択するユーザ操作を受け付ける受付部をさらに備える
ことを特徴とする電子カメラ。
【請求項４】
被写体像を撮像して画像を生成する撮像部を含む第１の筐体と、
表示部を含む第２の筐体と、
前記第１の筐体と前記第２の筐体とを接続するとともに、前記第１の筐体と前記第２の筐体との相対的な角度を変更可能である接続部と、
前記相対的な角度を検出する検出部と、
複数の前記角度毎に、前記撮像部と前記表示部との少なくとも一方に関する設定条件を記憶する条件記憶部と、
前記検出部により検出した前記角度に応じて、その角度における前記設定条件を前記条件記憶部から読み出して設定する制御部と
を備えたことを特徴とする電子カメラ。
【請求項５】
請求項４に記載の電子カメラにおいて、
前記検出部により検出した前記角度に応じて前記設定条件を設定するか否かを選択するユーザ操作を受け付ける受付部をさらに備える
ことを特徴とする電子カメラ。
【請求項６】
請求項４または請求項５に記載の電子カメラにおいて、
前記設定条件を前記複数の角度毎に設定する設定部をさらに備える
ことを特徴とする電子カメラ。
【請求項７】
請求項４にから請求項６の何れか１項に記載の電子カメラにおいて、
前記条件記憶部は、前記設定条件として、顔認識機能に関する設定を含む
ことを特徴とする電子カメラ。
【発明の詳細な説明】
【技術分野】
【０００１】
本発明は、被写体像を撮像して画像を生成する電子カメラに関する。
【背景技術】
【０００２】
近年、電子カメラには、様々な機能が備えられている。ユーザは、各種機能の中から所望の機能を選択して実行することができる。例えば、特許文献１の発明は、ユーザ操作に応じて、オートフォーカス装置によるピント調整に関するモードを選択することができる。
【特許文献１】特開平８−２０５０１７号公報
【発明の開示】
【発明が解決しようとする課題】
【０００３】
しかし、電子カメラでは、撮影状態が変化すると、ピント調整以外にも様々条件を設定しなければならない。
本発明の電子カメラは、条件設定に関するユーザの手間を軽減することを目的とする。
【課題を解決するための手段】
【０００４】
本発明の電子カメラは、被写体像を撮像して画像を生成する撮像部と、画像を記憶する画像記憶部と、前記撮像部が撮影状態であるか否かを判定する第１の判定部と、前記画像記憶部に前記画像が記憶されているか否かを判定する第２の判定部と、前記第１の判定部により撮影状態であると判定した場合には、前記撮像部により生成した前記画像を外部機器へと転送し、前記第１の判定部により撮影状態でないと判定し、かつ、前記第２の判定部により前記画像記憶部に前記画像が記憶されていると判定した場合には、前記画像記憶部に記憶された前記画像を外部機器へと転送する転送部とを備える。
【０００５】
なお、好ましくは、前記撮像部を含む第１の筐体と、表示部を含む第２の筐体と、前記第１の筐体と前記第２の筐体とを接続するとともに、前記第１の筐体と前記第２の筐体との相対的な角度を変更可能である接続部と、前記相対的な角度を検出する検出部とをさらに備え、前記第１の判定部は、前記検出部により検出した前記角度に応じて、撮影状態であるか否かを判定しても良い。
【０００６】
また、好ましくは、前記第１の判定部および前記第２の判定部による判定結果に応じて前記画像の転送を行うか否かを選択するユーザ操作を受け付ける受付部をさらに備えても良い。
本発明の別の電子カメラは、被写体像を撮像して画像を生成する撮像部を含む第１の筐体と、表示部を含む第２の筐体と、前記第１の筐体と前記第２の筐体とを接続するとともに、前記第１の筐体と前記第２の筐体との相対的な角度を変更可能である接続部と、前記相対的な角度を検出する検出部と、複数の前記角度毎に、前記撮像部と前記表示部との少なくとも一方に関する設定条件を記憶する条件記憶部と、前記検出部により検出した前記角度に応じて、その角度における前記設定条件を前記条件記憶部から読み出して設定する制御部とを備える。
【０００７】
なお、好ましくは、前記検出部により検出した前記角度に応じて前記設定条件を設定するか否かを選択するユーザ操作を受け付ける受付部をさらに備えても良い。
また、好ましくは、前記設定条件を前記複数の角度毎に設定する設定部をさらに備えても良い。
また、好ましくは、前記条件記憶部は、前記設定条件として、顔認識機能に関する設定を含んでも良い。
【発明の効果】
【０００８】
本発明の電子カメラによれば、条件設定に関するユーザの手間を軽減することができる。
【発明を実施するための最良の形態】
【０００９】
＜第１実施形態＞
以下、図面を用いて本発明の第１実施形態について説明する。
電子カメラ１００は、図１の外観図に示すように、撮影レンズ１を備えた撮影ユニット１０と、モニタ２を備えた表示ユニット２０とから構成される。撮影ユニット１０と表示ユニット２０とは接続部３により接続される。接続部３は、撮影ユニット１０と表示ユニット２０とを接続するとともに、撮影ユニット１０と表示ユニット２０との相対的な角度を変更可能である。
【００１０】
表示ユニット２０は、図１に示すように、背面にモニタ２と各種設定ボタン２１とを備える。また、上面に電源ボタン２２、レリーズボタン２３、無線通信部２４を備える。
図２は、電子カメラ１００の機能ブロック図である。撮影ユニット１０は、図２に示すように、撮影レンズ１、不図示の撮像素子などを備える撮像部１１を有する。また、表示ユニット２０は、設定ボタン２１、電源ボタン２２、レリーズボタン２３を含む操作部２５、モニタ２への画像などの表示を制御する表示制御部２６、画像などを記憶する記憶部２７、各部を制御するＣＰＵ２８、ＣＰＵ２８内に設けられるメモリ２９を備える。
【００１１】
また、接続部３は、撮影ユニット１０と表示ユニット２０との相対的な角度を検出する検出部３１を備える。検出部３１は、撮影ユニット１０側に接点を設け、表示ユニット２０側に導体パターンを備えた検出基板を設けて、撮影ユニット１０と表示ユニット２０との相対的な角度を検出する。
図２において、撮像部１１は、接続部３と相互に接続される。また、接続部３、無線通信部２４、表示制御部２６、記憶部２７の各部は、ＣＰＵ２８と相互に接続される。また、操作部２５の状態はＣＰＵ２８により検知され、表示制御部２６の出力はモニタ２に接続される。
【００１２】
また、電子カメラ１００は、無線通信部２４を介した転送において、２種類の方法を有する。１つは、撮像部１１により生成した画像を無線通信部２４を介して外部にそのまま転送する「撮影転送」であり、もう１つは、記憶部２７に記憶された画像を無線通信部２４を介して外部に転送する「外部転送」である。２種類の方法は、転送元が異なる。電子カメラ１００は、「撮影転送」と「外部転送」の何れかを実行するかの選択に関して２種類のモードを有する。１つは、ＣＰＵ２８によって、何れか適当な方法を選択する「転送方法自動設定モード」であり、もう１つは、操作部２５を介したユーザ操作に基づいて、手動で何れかの方法を選択する「通常モード」である。このようなモードの設定は、操作部２５を介したユーザ操作により予め行われる。
【００１３】
以上説明した構成の電子カメラ１００における転送時のＣＰＵ２８の動作について、図３のフローチャートを用いて説明する。
ステップＳ１において、ＣＰＵ２８は、転送モード実行が指示されたか否かを判定する。転送モード実行の指示は、ユーザにより、操作部２５を介して行われる。ＣＰＵ２８は、転送モード実行が指示されない場合には、ユーザ指示にしたがった動作を行う。例えば、撮影指示が行われた場合には、撮像部１１を介して撮像を行う。なお、転送モード実行の指示以外のユーザ指示時の動作は、公知技術と同様であるため、説明を省略する。一方、転送モード実行が指示されると、ＣＰＵ２８は、ステップＳ２に進む。
【００１４】
ステップＳ２において、ＣＰＵ２８は、転送方法自動設定モードであるか否かを判定する。転送方法自動設定モードでない場合（通常モードである場合）、ＣＰＵ２８は、通常モードの設定を行う。一方、転送方法自動設定モードである場合、ＣＰＵ２８は、ステップＳ３に進む。
ステップＳ３において、ＣＰＵ２８は、電子カメラ１００が撮影状態であるか否かを判定する。ＣＰＵ２８は、撮影状態であるか否かの判定を、検出部３１による検出結果に応じて行う。
【００１５】
電子カメラ１００は、図１で説明したように、撮影ユニット１０と表示ユニット２０との相対的な角度が変更可能である。したがって、図１に示した配置の他に、図４Ａ〜Ｃに示すような様々な配置が考えられる。
例えば、図４Ａは、撮影レンズ１とモニタ２とを同じ向きに配置し、撮影者であるユーザ自身を撮影する場合などに使用される配置である。また、図４Ｂは、撮影レンズ１とモニタ２とを逆向きに配置し、従来のカメラと同様に、撮影者であるユーザの前方にある被写体を撮影する場合などに使用される配置である。また、図４Ｃは、図３Ｂの場合よりも、撮影レンズ１を少し下方に向けて配置し、低い位置にある被写体を撮影する場合などに使用される配置である。これに対し、図１に示した配置は、電子カメラ１００における基準状態であり、この状態は収納状態であると想定される。
【００１６】
したがって、ＣＰＵ２８は、検出部３１による検出結果に応じて、電子カメラ１００の配置を判別し、配置に応じて撮影状態であるか否かを判定する。電子カメラ１００が図４Ａ〜Ｃに示すような配置である場合には、ＣＰＵ２８は、撮影状態であると判定し、ステップＳ４に進む。一方、電子カメラ１００が図１に示すような配置である場合には、ＣＰＵ２８は、撮影状態でないと判定し、後述するステップＳ５に進む。
【００１７】
ステップＳ４において、ＣＰＵ２８は、撮影転送を設定する。この結果、撮像部１１による撮影により画像が生成されるたびに、画像が外部に転送されることになる。
ステップＳ３において、撮影状態でないと判定すると、ステップＳ５において、ＣＰＵ２８は、記憶部２７に画像が記憶されているか否かを判定する。そして、記憶部２７に画像が記憶されていると判定すると、ＣＰＵ２８は、ステップＳ６に進む。一方、記憶部２７に画像が記憶されていないと判定すると、ＣＰＵ２８は、前述したステップＳ４に進み、撮影転送を設定する。この結果、撮像部１１により撮影が行われると、生成された画像が外部に転送されることになる。
【００１８】
ステップＳ６において、ＣＰＵ２８は、外部転送を設定する。この結果、記憶部２７に記憶された画像が無線通信部２４を介して外部に転送されることになる。
以上説明したように、第１実施形態によれば、被写体像を撮像して画像を生成する撮像部と、画像を記憶する画像記憶部と、撮像部が撮影状態であるか否かを判定する第１の判定部と、画像記憶部に画像が記憶されているか否かを判定する第２の判定部とを備え、第１の判定部により撮影状態であると判定した場合には、撮像部により生成した画像を外部機器へと転送し、第１の判定部により撮影状態でないと判定し、かつ、第２の判定部により画像記憶部に画像が記憶されていると判定した場合には、画像記憶部に記憶された画像を外部機器へと転送する。したがって、転送の条件設定に関するユーザの手間を軽減するとともに、適切な転送の条件設定を実現することができる。
【００１９】
また、第１実施形態によれば、撮像部を含む第１の筐体と、表示部を含む第２の筐体と、第１の筐体と第２の筐体とを接続するとともに、第１の筐体と第２の筐体との相対的な角度を変更可能である接続部と、相対的な角度を検出する検出部とをさらに備え、第１の判定部は、検出部により検出した角度に応じて、撮影状態であるか否かを判定する。したがって、第１の筐体と第２の筐体との相対的な配置に応じて、適切な転送の条件設定を行うことができる。
【００２０】
また、第１実施形態によれば、第１の判定部および第２の判定部による判定結果に応じて画像の転送を行うか否かを選択するユーザ操作を受け付ける。したがって、状況に応じたユーザの所望の転送モードを提供することができる。
なお、第１実施形態では、撮影状態であるか否かの判定を、検出部３１による検出結果に応じて行う例を示したが、本発明はこの例に限定されない。例えば、撮影モード、再生モード、設定モードなどのモードを備える電子カメラにおいては、撮影モードが設定されているか否かをもとに、撮影状態であるか否かの判定を行っても良い。
【００２１】
また、第１実施形態では、無線通信部２４を介して画像を転送する例を示したが、有線で画像を転送する構成としても良い。また、無線および有線を適宜選択する構成としても良い。
また、第１実施形態において、転送する画像は静止画像であっても動画像であっても良い。また、本撮像の前に撮像する構図確認用のスルー画像の転送についても、本発明を同様に適用することができる。
【００２２】
＜第２実施形態＞
以下、図面を用いて本発明の第２実施形態について説明する。第２実施形態では、第１実施形態とことなる部分についてのみ説明する。
第２実施形態の電子カメラは、第１実施形態の電子カメラ１００と同様の構成を備える。したがって、電子カメラの構成の図示および説明を省略し、以下では、第１実施形態の電子カメラ１００と同様の符号を用いて説明する。
【００２３】
第２実施形態の電子カメラ１００における条件設定時のＣＰＵ２８の動作について、図５のフローチャートを用いて説明する。
ステップＳ１１において、ＣＰＵ２８は、検出部３１を介して、撮影ユニット１０と表示ユニット２０との相対的な角度を検出する。
ステップＳ１２において、ＣＰＵ２８は、検出した相対角度における設定条件をメモリ２９から読み出す。第２実施形態の電子カメラ１００は、撮影ユニット１０と表示ユニット２０との相対的な配置毎に設定条件を予め記憶している。図６に設定条件の例を示す。設定条件は、撮像に関する条件と再生に関する条件とを含む。
【００２４】
図１に示した配置は、モニタ２の面を地面と略水平にし、植物などのローアングルの被写体を近距離で撮影する場合などに使用される配置である。したがって、オートフォーカスの範囲を近距離側に限定する。また、公知技術であるクローズアップ撮影に準ずる設定を行っても良い。また、モニタ２の面を地面と略水平にすることにより、屋外では太陽光がモニタ２の表示面に直接当たることが想定されるため、表示輝度を高く設定して表示視認性を確保する。
【００２５】
図４Ａに示した配置は、撮影レンズ１とモニタ２とを同じ向きに配置し、撮影者であるユーザ自身を撮影する場合などに使用される配置である。したがって、被写体は人物であると推定できるため、顔認識機能をＯＮする。顔認識は、肌色検出や瞳検出などを組み合わせて行われる。具体的な方法については公知技術と同様であるため説明を省略する。また、オートフォーカスの範囲を近距離側に限定するとともに、顔認識の結果に基づいてオートフォーカスを行う。さらに、人物撮影に適した画像処理条件（顔色の調整など）を設定する。また、公知技術であるセルフポートレート撮影に準ずる設定を行っても良い。
【００２６】
図４Ｂに示した配置は、撮影レンズ１とモニタ２とを逆向きに配置し、従来のカメラと同様に、撮影者であるユーザの前方にある被写体を撮影する場合などに使用される配置である。したがって、従来のカメラと同様の通常の設定を行う。
ここまで説明した設定条件は、予め、ユーザ操作に基づいて操作部２５で、角度毎に設定され、メモリ２９に記憶されている。
【００２７】
ステップＳ１３において、ＣＰＵ２８は、メモリ２９から読み出した設定条件を各部に設定する。
ステップＳ１４において、ＣＰＵ２８は、相対角度が変更されたか否かを判定する。ＣＰＵ２８は、相対角度が変更されるまでは、条件設定を変更しない。そして、相対角度が変更されると、ステップＳ１１に戻り、再び相対角度を検出して、条件設定を行う。
【００２８】
以上説明したように、第２実施形態によれば、被写体像を撮像して画像を生成する撮像部を含む第１の筐体と、表示部を含む第２の筐体と、第１の筐体と第２の筐体とを接続するとともに、第１の筐体と第２の筐体との相対的な角度を変更可能である接続部と、相対的な角度を検出する検出部と、複数の角度毎に、撮像部と表示部との少なくとも一方に関する設定条件を記憶する条件記憶部とを備え、検出部により検出した角度に応じて、その角度における設定条件を条件記憶部から読み出して設定する。したがって、条件設定に関するユーザの手間を軽減するとともに、第１の筐体と第２の筐体との相対的な配置に応じて適切な条件設定を実現することができる。
【００２９】
また、第２実施形態によれば、設定条件として、顔認識機能に関する設定を含む。したがって、顔認識機能を適切に設定し、効果的な撮影を行うことができる。
なお、第２実施形態では、撮影ユニット１０と表示ユニット２０との相対的な角度に応じた設定条件を自動で設定する例を示したが、このような自動設定を行うか否かを選択するユーザ操作を受け付ける受付部をさらに備えても良い。この結果、ユーザの所望の条件設定を実現することができる。
【００３０】
また、第２実施形態において、第１実施形態で説明した転送に関する設定を設定条件としても良い。
また、第１実施形態および第２実施形態では、図１に示したように、撮影ユニット１０が表示ユニット２０に対して回動する構成の電子カメラ１００を用いて説明を行ったが、
撮像部と表示部との相対的な角度を変更可能であれば、他の構成でも良い。例えば、撮像部を含むカメラ本体に対して、表示部の位置を変更可能なマルチアングルモニタを有する電子カメラにも本発明を同様に適用することができる。また、撮像部と表示部とが一体化した電子カメラにも本発明を適用することができる。
【００３１】
また、第１実施形態および第２実施形態において説明した撮影ユニット１０と表示ユニット２０との相対的な角度の例は、一例であり、他の角度についても同様に本発明を適用することができる。
また、第１実施形態および第２実施形態において説明した検出部３１の構成は、この例に限定されない。また、角速度センサを使用し、撮像部と表示部との相対的な角度に加えて、電子カメラの姿勢を検出する構成としても良い。
【図面の簡単な説明】
【００３２】
【図１】電子カメラ１００の外観図である。
【図２】電子カメラ１００の機能ブロック図である。
【図３】電子カメラ１００の動作を示すフローチャートである。
【図４】撮影ユニット１０と表示ユニット２０との相対的な配置について説明する図である。
【図５】電子カメラ１００の動作を示すフローチャートである。
【図６】設定条件について説明する図である。
【符号の説明】
【００３３】
１…撮影レンズ，２…モニタ，３…接続部，１０…撮影ユニット，１１…撮像部，２０…表示ユニット，２４…無線通信部，２７…記憶部，２８…制御部，２９…メモリ
【図１】
2007235512.tif 000003
【図２】
2007235512.tif 000004
【図３】
2007235512.tif 000005
【図４】
2007235512.tif 000006
【図５】
2007235512.tif 000007
【図６】
2007235512.tif 000008